(57)【特許請求の範囲】
【請求項１】
居室に隣接して配設されるとともに、植物栽培用の容器が配置され、植物が栽培される栽培ルームの構造において、
天井に設けられるとともに、前記居室内を照明する居室用の照明手段よりも明るくなるように設定された照明手段を備えており、
前記居室との境界には開口部が設けられており、この開口部はハーフミラーによって覆われており、
前記開口部に対向する側壁の前方に、前記開口部側の面が反射面とされた反射板が設けられており、
前記反射板は、前記側壁から所定間隔離間して配置されており、
この反射板には、栽培ルーム内の空気を吸い込むための吸気口と、栽培ルーム内へ空気を送り込む送風口とが形成されており、
この反射板と前記側壁との間には、前記吸気口に装着された換気扇が設けられていることを特徴とする栽培ルームの構造。
【請求項２】
請求項１に記載の栽培ルームの構造において、
前記開口部には、この開口部を開閉する建具が設けられており、この建具に前記ハーフミラーが組み込まれていることを特徴とする栽培ルームの構造。
【請求項３】
請求項１または２に記載の栽培ルームの構造において、
前記天井と照明手段との間には、この照明手段に対峙する反射面を有するとともに該反射面側が凹面となるように湾曲形成された反射板が設けられていることを特徴とする栽培ルームの構造。
【請求項４】
請求項３に記載の栽培ルームの構造において、
前記反射板の反射面に、入射した照明光を電気エネルギーに変換する太陽電池パネルが取り付けられており、この太陽電池パネルは、前記照明手段に接続されていることを特徴とする栽培ルームの構造。
【請求項５】
請求項１〜４のいずれか一項に記載の栽培ルームの構造において、
天井高が、０．９〜１．４ｍに設定されていることを特徴とする栽培ルームの構造。
【発明の詳細な説明】
【技術分野】
【０００１】
本発明は、住宅等の建物内において、居室に隣接して配設されるとともに、植物栽培用の容器が配置され、植物が栽培される栽培ルームの構造に関する。
【背景技術】
【０００２】
玄関やバルコニー等に植物を飾ったり、庭に植物を植栽したりして、屋内側から、これを観賞することが一般になされている。
また、屋外だけでなく、プランターや鉢等の容器を建物内に配置し、この容器で植物を栽培し、これを鑑賞することが行われている（例えば、特許文献１参照）。このように建物内で植物を鑑賞することによって、自然を身近に感じることができる。しかも、屋外よりも生育環境を安定化できるので、種々の植物を栽培しやすくなる。
【先行技術文献】
【特許文献】
【０００３】
【特許文献１】特開２００５−２７８６１１号公報
【発明の概要】
【発明が解決しようとする課題】
【０００４】
ところが、近年、特に住宅等の建物の分野において緑化が推進されており、単にプランターや鉢等の容器を配置するだけでなく、より多くの植物を栽培するための栽培用スペースを建物内に確保したいという要望がある。
また、従来は、天井付近からの照明光を植物に照射することで建物内での植物の栽培を行っていたが、天井付近からの照明光だけでは、葉の重なり合い等を考慮していない等の問題があるため、植物に対して効率よく照光できない場合がある。
【０００５】
本発明の課題は、建物内に、より多くの植物を鑑賞することが可能な栽培スペースを確保できるとともに、栽培する植物への照光効率を向上させることができる栽培ルームの構造を提供することを目的とする。
【課題を解決するための手段】
【０００６】
請求項１に記載の発明は、例えば図１〜図７に示すように、居室１（２１）に隣接して配設されるとともに、植物栽培用の容器１１（３１）が配置され、植物が栽培される栽培ルーム１０（３０）の構造において、
天井１０ａに設けられるとともに、前記居室１（２１）内を照明する居室１（２１）用の照明手段（図示せず）よりも明るくなるように設定された照明手段１２を備えており、
前記居室１（２１）との境界には開口部１０ｃ（３０ｃ）が設けられており、この開口部１０ｃ（３０ｃ）はハーフミラー１３によって覆われており、
前記開口部１０ｃ（３０ｃ）に対向する側壁１０ｄ（３０ｄ）の前方に、前記開口部１０ｃ（３０ｃ）側の面が反射面１６ａとされた反射板１６が設けられており、
前記反射板１６は、前記側壁１０ｄ（３０ｄ）から所定間隔離間して配置されており、
この反射板１６には、栽培ルーム１０（３０）内の空気を吸い込むための吸気口１６ｂと、栽培ルーム１０ｄ（３０ｄ）内へ空気を送り込む送風口１６ｃとが形成されており、
この反射板１６と前記側壁１０ｄ（３０ｄ）との間には、前記吸気口１６ｂに装着された換気扇１６ｄが設けられていることを特徴とする。
【０００７】
請求項１に記載の発明によれば、天井１０ａに設けられるとともに、前記居室１（２１）内を照明する居室１（２１）用の照明手段よりも明るくなるように設定された照明手段１２を備えており、前記居室１（２１）との境界には開口部１０ｃ（３０ｃ）が設けられており、この開口部１０ｃ（３０ｃ）はハーフミラー１３によって覆われているので、前記ハーフミラー１３を介して、前記居室１（２１）側から栽培ルーム１０（３０）内を透視することができるとともに、栽培ルーム１０（３０）内では、天井１０ａからの照明光を、前記ハーフミラー１３によって反射させ、植物に対して多角的に照射することができる。これによって、建物内に、より多くの植物を鑑賞することが可能な栽培スペースを確保できるとともに、栽培する植物への照光効率を向上させることができる。
また、前記開口部１０ｃ（３０ｃ）に対向する側壁１０ｄ（３０ｄ）の前方に、前記開口部１０ｃ（３０ｃ）側の面が反射面１６ａとされた反射板１６が設けられているので、前記開口部１０ｃ（３０ｃ）に対向する側壁１０ｄ（３０ｄ）側からも照明光を反射させることができる。これによって、より一層多角的に照明光を植物に照射することができる。
また、前記反射板１６は、前記側壁１０ｄ（３０ｄ）から所定間隔離間して配置されており、この反射板１６には、栽培ルーム１０（３０）内の空気を吸い込むための吸気口１６ｂと、栽培ルーム１０ｄ（３０ｄ）内へ空気を送り込む送風口１６ｃとが形成されており、この反射板１６と前記側壁１０ｄ（３０ｄ）との間には、前記吸気口１６ｂに装着された換気扇１６ｄが設けられているので、前記反射板１６と側壁１０ｄ（３０ｄ）との間の隙間を利用して、栽培ルーム１０（３０）内の空気を循環させることができる。これによって、植物に対して風を当てることができるので、カビの発生を抑制することができ、カビに起因する植物の病気を防ぐことができる。
【０００８】
請求項２に記載の発明は、例えば図１，図２，図７に示すように、請求項１に記載の栽培ルーム１０（３０）の構造において、
前記開口部１０ｃ（３０ｃ）には、この開口部１０ｃ（３０ｃ）を開閉する建具１４（３４）が設けられており、この建具１４（３４）に前記ハーフミラー１３が組み込まれていることを特徴とする。
【０００９】
請求項２に記載の発明によれば、前記開口部１０ｃ（３０ｃ）には、この開口部１０ｃ（３０ｃ）を開閉する建具１４（３４）が設けられており、この建具１４（３４）に前記ハーフミラー１３が組み込まれているので、前記ハーフミラー１３が組み込まれた建具１４（３４）によって開口部１０ｃ（３０ｃ）を開放・閉塞できるとともに、この開口部１０ｃ（３０ｃ）を介して居室１（２１）と栽培ルーム１０（３０）とを行き来できる。これによって、例えば庭やバルコニー等の屋外にわざわざ出る必要がなく、建物内での植物の栽培がしやすくなる。
【００１０】
請求項３に記載の発明は、例えば図１および図４に示すように、請求項１または２に記載の栽培ルーム１０（３０）の構造において、
前記天井１０ａと照明手段１２との間には、この照明手段１２に対峙する反射面１５ａを有するとともに該反射面１５ａ側が凹面となるように湾曲形成された反射板１５が設けられていることを特徴とする。
【００１１】
請求項３に記載の発明によれば、前記天井１０ａと照明手段１２との間には、この照明手段１２に対峙する反射面１５ａを有するとともに該反射面１５ａ側が凹面となるように湾曲形成された反射板１５が設けられているので、前記照明手段１２の上方への照光を、前記反射板１５によって反射させることができるとともに、凹状の反射面１５ａによって、より多角的に照明光を植物に照射することができる。
【００１２】
請求項４に記載の発明は、例えば図１および図４に示すように、請求項３に記載の栽培ルーム１０（３０）の構造において、
前記反射板１５の反射面１５ａに、入射した照明光を電気エネルギーに変換する太陽電池パネル１５ｂが取り付けられており、この太陽電池パネル１５ｂは、前記照明手段１２に接続されていることを特徴とする。
【００１３】
請求項４に記載の発明によれば、前記反射板１５の反射面１５ａに、入射した照明光を電気エネルギーに変換する太陽電池パネル１５ｂが取り付けられており、この太陽電池パネル１５ｂは、前記照明手段１２に接続されているので、前記太陽電池パネル１５ｂによって照明光を電気エネルギーに変換することができるとともに、この電気エネルギーを再び前記照明手段１２に利用することができる。これによって、前記栽培ルーム１０（３０）内のエネルギー消費を抑えることができる。
【００１８】
請求項５に記載の発明は、例えば図５および図６に示すように、請求項１〜４のいずれか一項に記載の栽培ルーム１０（３０）の構造において、
天井高が、０．９〜１．４ｍに設定されていることを特徴とする。
【００１９】
請求項５に記載の発明によれば、天井高が、０．９〜１．４ｍに設定されているので、人が栽培ルーム１０（３０）に入って、何とか作業ができる最低限の高さを確保できる。また、この栽培ルーム１０（３０）の上方に他の部屋を設けることができるので、建物内のスペースを効率的に利用できる。
また、天井高には限りがあるため、居室内で栽培する植物としては、背の高い植物よりも、ある程度の高さで成長が止まり、かつそれほど背の高くない植物や背の低い植物が好適とされている。それほど背の高くない植物や背の低い植物の場合、その育成用の照明手段１２の設置高さとしては、通常の居室の天井高である２ｍ以上の高さでは高すぎてしまうため、天井高が、０．９〜１．４ｍに設定された栽培ルーム１０（３０）であれば、居室内で栽培する植物にとって適切な高さに照明手段１２を設けることができる。
【発明の効果】
【００２０】
本発明によれば、天井に設けられるとともに、居室内を照明する居室用の照明手段よりも明るくなるように設定された照明手段を備えており、居室との境界には開口部が設けられており、この開口部はハーフミラーによって覆われているので、このハーフミラーを介して、居室側から栽培ルーム内を透視することができるとともに、栽培ルーム内では、天井からの照明光を、ハーフミラーによって反射させ、植物に対して多角的に照射することができる。これによって、建物内に、より多くの植物を鑑賞することが可能な栽培スペースを確保できるとともに、栽培する植物への照光効率を向上させることができる。
【図面の簡単な説明】
【００２１】
【図１】本発明の栽培ルームの構造の一例を示す側断面図である。
【図２】図１に示す栽培ルームの正面図である。
【図３】図１に示す栽培ルームの平面図である。
【図４】図１に示す栽培ルームに設けられた照明手段を示す拡大図である。
【図５】建物内部の居室および栽培ルーム付近の一例を示す概略側断面図である。
【図６】建物内部の居室および栽培ルーム付近の一例を示す概略側断面図である。
【図７】栽培ルームの他の一例を含む建物を示す平断面図である。
【発明を実施するための形態】
【００２２】
以下、図面を参照して本発明の実施の形態について説明する。
図１は本発明に係る栽培ルームの構造の一例を示す側断面図である。
図１において符号１は、居室を示す。この居室１は、例えばリビングルームやダイニングルーム、キッチン、個室等のように、居住者が日常的にいる部屋を指している。
そして、この居室１に隣接して、植物栽培用の容器１１が配置され、植物が栽培される栽培ルーム１０が建物内に配設されている。なお、本実施の形態において、前記容器１１では、土を使わずに植物の根を水に浸すようにして植物を栽培する水耕栽培が行われている。また、前記容器１１にはキャスター１１ａが取り付けられている。
【００２３】
前記栽培ルーム１０は、図１〜図３に示すように、建物の所定階の床２と天井１０ａとの間に設けられており、さらに、これら床２と天井１０ａとの間に、栽培ルーム１０と外部とを分離する側壁１０ｂ，１０ｄ，１０ｅ，１０ｆを立設することによって、一個の部屋として成り立つように構成されている。
また、この栽培ルーム１０内の床２上に、この床２よりも一段高く、前記容器１１が載置される載置用床１０ｇが敷設されている。すなわち、前記容器１１は、前記床２よりも一段高い位置に配置されていることになる。なお、この容器１１を、前記居室１と栽培ルーム１０との間で移動させる際は、持ち運び可能なスロープ状の装置（図示せず）を用いるようにしてもよい。
なお、前記床２は、基礎上に設置された複数の土台間に、縦横の框材を矩形状に組んでなる矩形枠の上面に面材を貼設してなる床パネルを架け渡すようにして設けることで構成されている。
【００２４】
この栽培ルーム１０は、前記床２の上方に中間床５を設けることによって、この中間床５と前記床２との間に設けられるものであり、その天井高は、０．９ｍ〜１．４ｍに設定されている。また、この栽培ルーム１０は外壁４に沿って配設されている。
前記天井１０ａは、前記中間床５の下面に野縁を介して天井板を取り付けることによって形成されている。
【００２５】
また、前記居室１は、前記床２と、この床２の上方に設けられる天井３（または上階の床）との間に設けられており、これによって、この居室１の天井と前記栽培ルーム１０の天井１０ａとは、図５および図６に示すように、異なる高さに設けられている。
なお、この居室１の天井高は、本実施の形態においては約２．４ｍに設定されている。
このように前記栽培ルーム１０の天井高と居室１の天井高とに差異があるため、前記中間床５上に、図５に示すように下階と上階との間に位置する中間階の部屋６を設けるようにしてもよいし、図６に示すように、前記栽培ルーム１０と同じ構成の栽培ルーム１０Ａを、前記栽培ルーム１０と上下２段となるように設けてもよいものとする。
【００２６】
また、前記居室１との境界、すなわち前記栽培ルーム１０の居室側壁１０ｂには、図１および図２に示すように、開口部１０ｃが形成されている。また、この開口部１０ｃはハーフミラー１３によって覆われている。
このハーフミラー１３は、鏡に張る金属の膜を通常より薄くしたり、板ガラスに錫や銀をめっきないし蒸着させたりして、半透明にしたものであり、入射光の一部を反射し、一部を透過させる性質を持つ。例えば照明をつけた明るい部屋と照明のない暗い部屋を、このハーフミラー１３で仕切った場合、明るい部屋からハーフミラー１３を見ても、暗い部屋から透過する弱い光に重なって、明るい部屋から反射した強い光が目に届くため、自分の居る部屋の様子が映った鏡のようにしか見えない。逆に暗い部屋からハーフミラー１３を見た時は、暗い部屋から反射する弱い光に重なって、明るい部屋から透過してくる強い光が目に届くので、ハーフミラー越しに明るい部屋の様子が見える。なお、本実施の形態では市販のハーフミラーを用いることができる。
【００２７】
さらに、前記開口部１０ｃには、図１および図２に示すように、この開口部１０ｃを開閉する建具１４が設けられており、この建具１４に前記ハーフミラー１３が組み込まれている。
この建具１４は、矩形状の建具枠内に前記ハーフミラー１３を組み込むようにして形成されており、前記開口部１０ｃの縁部に沿って門型に取り付けられた開口枠１４ａと載置用床１０ｇとで形成される枠内に建て付けられている。また、本実施の形態においては４枚の建具１４が用いられている。
なお、前記開口枠１４ａおよび載置用床１０ｇには、前記建具１４をスライドさせるためのレール等を適宜設けるようにする。
【００２８】
また、栽培ルーム１０の天井１０ａには、図１および図４に示すように、前記居室１内を照明する居室１用の照明手段（図示せず）よりも明るくなるように設定された照明手段１２が設けられている。
この照明手段１２は、本実施の形態においては、植物の成長に必要な光エネルギーを効率よく発生するように設計された円筒状の長尺な植物用蛍光灯が用いられており、図１および図４に示すように、前記居室側壁１０ｂから、この居室側壁１０ｂに対向する側壁１０ｄに向かって、２本１組で、計４組分設けられている。なお、本実施の形態では市販の植物用蛍光灯を用いることができる。
【００２９】
また、前記天井１０ａと照明手段１２との間には、この照明手段１２に対峙する反射面１５ａを有するとともに該反射面１５ａ側が凹面となるように湾曲形成された反射板１５が設けられている。
この反射板１５は、例えばアルミニウム等の金属や、湾曲するように成形された樹脂等によって構成されており、例えば照明手段１２側の凹面を鏡面仕上げとしたり、反射用金属膜等の反射物質をコーティングしたりすることによって前記反射面１５ａが設けられている。
【００３０】
また、前記反射板１５の反射面１５ａに、入射した照明光を電気エネルギーに変換する太陽電池パネル１５ｂが取り付けられており、この太陽電池パネル１５ｂは、前記照明手段１２に接続されている。
なお、前記照明手段１２の照明光のうち、前記反射面１５ａに向かって発せられた光の一部は、前記反射面１５ａ自体と、太陽電池パネル１５ｂの表面とで反射され照明に利用される。また、太陽電池パネル１５ｂを透過する照明光は、その一部が吸収され光電変換されて電気エネルギーとなり、別の一部は太陽電池パネル１５ｂの裏側の反射面１５ａで反射されて照明に利用される。
また、前記変換された電気エネルギーは、図示しない蓄電池に蓄電されている。そして、前記太陽電池パネル１５は、この蓄電池を介して前記照明手段１２に接続されている。
【００３１】
また、図１および図３に示すように、前記開口部１０ｃに対向する側壁１０ｄの前方には、前記開口部１０ｃ側の面が反射面１６ａとされた反射板１６が設けられている。
この反射板１６は、例えばアルミニウム等の金属や、湾曲するように成形された樹脂等によって構成されており、例えば開口部１０ｃ側の面を鏡面仕上げとしたり、反射用金属膜等の反射物質をコーティングしたりすることによって前記反射面１６ａが設けられている。
【００３２】
さらに、前記反射板１６は、前記側壁１０ｄから所定間隔離間して配置されており、この反射板１６には、栽培ルーム１０内の空気を吸い込むための吸気口１６ｂと、栽培ルーム１０ｄ内へ空気を送り込む送風口１６ｃとが形成されており、この反射板１６と前記側壁１０ｄとの間には、前記吸気口１６ｂに装着された換気扇１６ｄが設けられている。
この換気扇１６ｄは、前記吸気口１６ｂを介して栽培ルーム１０の栽培スペースから、反射板１６と前記側壁１０ｄとの間のスペースに向かって空気を取り込むことができる。
また、前記吸気口１６ｂおよび換気扇１６ｄは、前記反射板１６に対して少なくとも１セット設けられるようにする。また、前記送風口１６ｃは、前記反射板１６に対して１つでもよいし、反射板１６の幅方向に沿って点在するように複数設けられるようにしてもよい。これにより、前記開口部１０ｃに対向する側壁１０ｄ付近に、空気循環手段を設けることができ、栽培ルーム１０内で空気の流れを発生させることができる。
【００３３】
また、前記側壁１０ｅには、図３に示すように、温度センサー１７および除湿センサー１８が設けられている。
前記温度センサー１７は、栽培ルーム１０内の温度が例えば１８〜２８℃となるように管理するためのものであり、前記除湿センサー１８は、栽培ルーム１０内の湿度が例えば５０〜７０％となるように管理するためのものである。なお、上述のように前記容器１１では水耕栽培が行われているため、温度・湿度の管理はきわめて重要である。
このような温度センサー１７および除湿センサー１８は、前記側壁１０ｅに設けるものとしたが、これに限られるものではなく、前記側壁１０ｆに設けてもよく、前記栽培ルーム１０内の温度・湿度の管理ができるのであれば設置場所は限定されない。
【００３４】
なお、以上のような栽培ルーム１０が、建物内のどの方角に配設されるかは特に限定されるものではないが、建物内の北側の日が当たりにくい場所でも、何ら支障なく植物を栽培できる。
また、居室１をキッチンとした場合、前記容器１１では、ハーブや野菜等のような食材となる植物を栽培するようにしてもよい。
【００３５】
（実施例）
次に、以上のような構成の栽培ルーム１０とは異なる形態の栽培ルーム３０を内部に配設した建物２０について説明する。
この建物２０は、図７に示すように、居室２１と、玄関２２と、これら居室２１と玄関２２とを連絡する廊下２３と、この廊下２３の途中に設けられるとともに居室２１と栽培ルーム３０の一面側に当接する階段２４と、この階段２４に隣り合うようにして設けられるとともに前記玄関２２と栽培ルーム３０とを連絡する通り土間２５と、前記居室２１と栽培ルーム３０の他面側に位置し、屋外に設けられる屋外作業スペース２６と、建物内において前記居室２１および廊下２３に隣接して配設される他の部屋２７と、栽培ルーム３０とを備えている。
【００３６】
前記居室２１は、土間である低床部２１ａと、この低床部２１ａよりも高い位置に設けられ土間である高床部２１ｂとを有している。また、この居室２１は、建物２０の北側に配設されており、前記低床部２１ａおよび高床部２１ｂが土間であることから、例えば夏季において、冷却効果の高い部屋とすることができる。
また、前記低床部２１ａは、前記玄関２２、通り土間２５、屋外作業スペース２６および栽培ルーム３０の床３０ｇと略等しい床レベルとなるように設定されている。これにより、前記玄関２２から通り土間２５を介して栽培ルーム３０に至るルートにおいても、栽培ルーム３０から屋外作業スペース２６に至るルートにおいても、栽培ルームから居室２１に至るルートにおいても、容器３１の移動が容易となる。
また、前記高床部２１ｂは、平面視Ｌ字状に形成されており、前記廊下２３および他の部屋２７の床２７ａと略等しい床レベルとなるように設定されている。
さらに、この居室２１の屋外作業スペース２６側の壁には、この屋外作業スペース２６と行き来するための屋外側出入口２１ｃが設けられている。
【００３７】
前記階段２４の踊り場の下方には、図７に示すように、前記容器３１を載置できるスペースが形成されている。
また、前記通り土間２５には、この踊り場下方のスペースに対向するとともに屋外に面して窓２５ａが設けられており、この窓２５ａから光や風を取り込んで、該容器３１に栽培された植物の生育を促すことができるようになっている。
【００３８】
前記栽培ルーム３０は、前記載置用床３０ｇと天井（図示せず）との間に設けられており、さらに、これら床３０ｇと天井との間に、栽培ルーム３０と外部とを分離する側壁３０ｂ，３０ｄ，３０ｅ，３０ｆを立設することによって、一個の部屋として成り立つように構成されている。
なお、本実施例の載置用床３０ｇは、上述のように前記低床部２１ａ、前記玄関２２、通り土間２５、屋外作業スペース２６と略等しい床レベルとなっている。
また、前記側壁３０ｅには、前記屋外作業スペース２６と行き来するための屋外側出入口３０ｈが設けられている。
また、前記側壁３０ｆには、前記玄関２２および通り土間２５と行き来するための玄関側出入口３０ｉが設けられている。
【００３９】
そして、この栽培ルーム３０と前記居室２１との境界、すなわち前記栽培ルーム３０の居室側壁３０ｂには、開口部３０ｃが形成されている。また、この開口部３０ｃはハーフミラー（図示せず）によって覆われている。
さらに、前記開口部３０ｃには、この開口部３０ｃを開閉する建具３４が設けられており、この建具３４に前記ハーフミラーが組み込まれている。
【００４０】
また、この栽培ルーム３０の床面積は比較的広く取られており、開口部１０ｃから栽培ルーム３０を見た時に、前記容器３１を前後２列に並べて載置できるようになっており、建物内に、一層多くの植物を鑑賞することが可能な栽培スペースを確保できるようになっている。
【００４１】
なお、本実施例の栽培ルーム３０に設けられる照明手段や反射板、空気循環手段、各種センサー等の各種設備は、図示はしないが、上述の栽培ルーム１０と同様の構成のものが用いられており、説明を省略した部分においては、上述の栽培ルーム１０と同様の効果を得ることが可能となっている。
【００４２】
本実施の形態によれば、天井１０ａに設けられるとともに、前記居室１（２１）内を照明する居室１（２１）用の照明手段よりも明るくなるように設定された照明手段１２を備えており、前記居室１（２１）との境界には開口部１０ｃ（３０ｃ）が設けられており、この開口部１０ｃ（３０ｃ）はハーフミラー１３によって覆われているので、前記ハーフミラー１３を介して、前記居室１（２１）側から栽培ルーム１０（３０）内を透視することができるとともに、栽培ルーム１０（３０）内では、天井１０ａからの照明光を、前記ハーフミラー１３によって反射させ、植物に対して多角的に照射することができる。これによって、建物内に、より多くの植物を鑑賞することが可能な栽培スペースを確保できるとともに、栽培する植物への照光効率を向上させることができる。
【００４３】
また、前記開口部１０ｃ（３０ｃ）には、この開口部１０ｃ（３０ｃ）を開閉する建具１４（３４）が設けられており、この建具１４（３４）に前記ハーフミラー１３が組み込まれているので、前記ハーフミラー１３が組み込まれた建具１４（３４）によって開口部１０ｃ（３０ｃ）を開放・閉塞できるとともに、この開口部１０ｃ（３０ｃ）を介して居室１（２１）と栽培ルーム１０（３０）とを行き来できる。これによって、例えば庭やバルコニー等の屋外にわざわざ出る必要がなく、建物内での植物の栽培がしやすくなる。
【００４４】
また、前記天井１０ａと照明手段１２との間には、この照明手段１２に対峙する反射面１５ａを有するとともに該反射面１５ａ側が凹面となるように湾曲形成された反射板１５が設けられているので、前記照明手段１２の上方への照光を、前記反射板１５によって反射させることができるとともに、凹状の反射面１５ａによって、より多角的に照明光を植物に照射することができる。
【００４５】
また、前記反射板１５の反射面１５ａに、入射した照明光を電気エネルギーに変換する太陽電池パネル１５ｂが取り付けられており、この太陽電池パネル１５ｂは、前記照明手段１２に接続されているので、前記太陽電池パネル１５ｂによって照明光を電気エネルギーに変換することができるとともに、この電気エネルギーを再び前記照明手段１２に利用することができる。これによって、前記栽培ルーム１０（３０）内のエネルギー消費を抑えることができる。
【００４６】
また、前記開口部１０ｃ（３０ｃ）に対向する側壁１０ｄ（３０ｄ）の前方に、前記開口部１０ｃ（３０ｃ）側の面が反射面１６ａとされた反射板１６が設けられているので、前記開口部１０ｃ（３０ｃ）に対向する側壁１０ｄ（３０ｄ）側からも照明光を反射させることができる。これによって、より一層多角的に照明光を植物に照射することができる。
【００４７】
また、前記反射板１６は、前記側壁１０ｄ（３０ｄ）から所定間隔離間して配置されており、この反射板１６には、栽培ルーム１０（３０）内の空気を吸い込むための吸気口１６ｂと、栽培ルーム１０ｄ（３０ｄ）内へ空気を送り込む送風口１６ｃとが形成されており、この反射板１６と前記側壁１０ｄ（３０ｄ）との間には、前記吸気口１６ｂに装着された換気扇１６ｄが設けられているので、前記反射板１６と側壁１０ｄ（３０ｄ）との間の隙間を利用して、栽培ルーム１０（３０）内の空気を循環させることができる。これによって、植物に対して風を当てることができるので、カビの発生を抑制することができ、カビに起因する植物の病気を防ぐことができる。
【００４８】
また、天井高が、０．９〜１．４ｍに設定されているので、人が栽培ルーム１０（３０）に入って、何とか作業ができる最低限の高さを確保できる。また、この栽培ルーム１０（３０）の上方に他の部屋を設けることができるので、建物内のスペースを効率的に利用できる。
また、天井高には限りがあるため、居室内で栽培する植物としては、背の高い植物よりも、ある程度の高さで成長が止まり、かつそれほど背の高くない植物や背の低い植物が好適とされている。それほど背の高くない植物や背の低い植物の場合、その育成用の照明手段１２の設置高さとしては、通常の居室の天井高である２ｍ以上の高さでは高すぎてしまうため、天井高が、０．９〜１．４ｍに設定された栽培ルーム１０（３０）であれば、居室内で栽培する植物にとって適切な高さに照明手段１２を設けることができる。
【符号の説明】
【００４９】
１  居室
１０  栽培ルーム
１０ａ  天井
１０ｃ  開口部
１１  容器
１２  照明手段
１３  ハーフミラー
【図１】
0005632656.tif 000002
【図２】
0005632656.tif 000003
【図３】
0005632656.tif 000004
【図４】
0005632656.tif 000005
【図５】
0005632656.tif 000006
【図６】
0005632656.tif 000007
【図７】
0005632656.tif 000008